(57)【要約】【課題】ディスクカートリッジ内でのディスク状記録媒体の傾きや手指等によるシャッター及びインナーローターの内部への押し込み等によって、ディスク状記録媒体の記録面が損傷されることを未然に防止すること。【解決手段】上下シェル間に回転自在に配置されたインナーローター１２内に光ディスクを収納し、インナーローター１２の回転によって下シェル３の底部開口部１７を開閉するシャッター１３、１４を備えたディスクカートリッジにおいて、インナーローター１２の底部１２ａに形成された内部開口部１８の周辺の内側に成形した一対の第１のディスク載置部５１と、シャッター１３、１４の内側に成形された一対の第２のディスク載置部５２とによって光ディスク４の中央部４ｃを下方からほぼ同心円上に支持することができるディスクカートリッジ。【選択図】        図１１
2004206792.tif 000002
【特許請求の範囲】
【請求項１】
内部にディスク状記録媒体が回転自在に収納されたディスクカートリッジにおいて、
底部開口部を開閉するシャッターと、
前記底部開口部の周辺の内側に成形されて、前記ディスク状記録媒体の中央部の円周上の一部分が水平状に載置される第１のディスク載置部と、
前記シャッターの内側に成形されて、このシャッターが前記底部開口部を閉じた時に、前記ディスク状記録媒体の中央部の円周上の他の部分が前記底部開口部内にて水平状に載置される第２のディスク載置部とを備えた
ことを特徴とするディスクカートリッジ。
【請求項２】
上下シェルと、
内部にディスク状記録媒体が収納されて、前記上下シェル間に回転自在に配置されたインナーローターと、
前記下シェルに形成された底部開口部と、
前記インナーローターの底部に成形されて、そのインナーローターが閉位置から開位置へ回転された時に前記底部開口部の内側に重ねられる内部開口部と、
前記インナーローターの閉位置と開位置との間の回転によって、そのインナーローターと共働して前記底部開口部を開閉するシャッターと、
前記インナーローターの底部で、前記内部開口部の周辺の内側に成形されて、前記ディスク状記録媒体の中央部の円周上の一部分が水平状に載置される第１のディスク載置部と、
前記シャッターの内側に成形されて、このシャッターが前記底部開口部を閉じた時に、前記ディスク状記録媒体の中央部の他の部分が前記底部開口部内にて水平状に載置される第２のディスク載置部とを備えた
ことを特徴とするディスクカートリッジ。
【請求項３】
前記シャッターが開位置から閉位置へ移動された時に、そのシャッターの前記第２のディスク載置部が前記底部開口部内にて前記インナーローターの前記第１のディスク載置部とほぼ同心円状に配置されるように構成された、
ことを特徴とする請求項２に記載のディスクカートリッジ。
【請求項４】
前記シャッターが前記下シェルと前記インナーローターとの間に配置され、
前記シャッターが閉位置から開位置へ移動された時に、そのシャッターの前記第２のディスク載置部が前記インナーローターの前記内部開口部の縁部に形成された逃げ用切欠き内に収容されるように構成された
ことを特徴とする請求項２に記載のディスクカートリッジ。
【請求項５】
前記底部開口部及び前記内部開口部がそれぞれ中央開口部と、その両側に接続された一対の両側開口部とを有する２ヘッドタイプに構成され、
前記底部開口部を開閉する前記シャッターが一対に構成され、
前記第１のディスク載置部が前記インナーローターの前記内部開口部における前記中央開口部の両側の内側に一対成形され、
前記第２のディスク載置部が前記一対のシャッターの内側に一対成形され、
前記一対のシャッターが前記底部開口部を閉じた時に、これら一対のシャッターの前記一対の２のディスク載置部が前記底部開口部内で、前記一対の第１のディスク載置部の間にほぼ同心円状に配置される
ことを特徴とする請求項２に記載のディスクカートリッジ。
【発明の詳細な説明】
【０００１】
【発明の属する技術分野】
本発明は、ＭＯ、ＤＶＤ、ＤＶＤ−ＲＯＭ等の光ディスクや光磁気ディスク、その他のディスク状記録媒体を収納して、使用されるディスクカートリッジ属するものであって、インナーロータの回転により開閉駆動されるシャッターによって下シェルの開口部を開閉するように構成された防塵性が高く、高密度記録用ディスクカートリッジ等に適用されるディスクカートリッジにおけるディスク状記録媒体の記録面を保護する構造の技術分野に属するものである。
【０００２】
本発明の出願人は、防塵性を高くして、ディスクの記録密度の著しい向上を実現するインナーローター使用のディスクカートリッジ（例えば、特許文献１、２参照）を先に出願している。
このディスクカートリッジは、上下シェル間にインナーローターを回転自在に配置し、ＭＯ、ＤＶＤ、ＤＶＤ−ＲＯＭ等の光ディスク等を記録面が下向きになるようにしてインナーローター内の底部上に回転自在に収納（載置）している。そして、下シェルにスピンドルモータのディスクテーブルと光学ピックアップが挿入されるほぼ長穴形状の底部開口部を形成すると共に、その底部開口部とほぼ同一形状の内部開口部をインナーローターの底部に形成し、そのインナーローターの回転により開閉される２枚のシャッターを下シェルとインナーローターの底部との間に配置している。そして、インナーローターの回転により、そのインナーローターの内部開口部を下シェルの底部開口部上に重なる位置と一側方へ偏位された位置との間で回動させると共に、２枚のシャッターで下シェルの底部開口部を両側から開閉するように構成されている。
なお、インナーローターの底部の中央部で、内部開口部の周辺部分の上部に半円形状のディスク載置部や一対のほぼ三ケ月形状のディスク載置部を凸型に一体成形して、光ディスク等の中央部をこれらのディスク載置部上に水平状に載置して、その光ディスクの下向きの記録面がインナーローターの底部に接触しないように、その記録面を底部の上方へ浮かせる構造を採用している。
【特許文献１】
特開２００１−２８３５５６
【特許文献２】
特開２００１−３３２０５４
【０００３】
【発明が解決しようとする課題】
しかし、このディスクカートリッジは、構造上、インナーローター及び２枚のシャッターがモールド部品（合成樹脂成形品であって、以下、モールド部品と記載する）からなる薄板構造に形成されている。
このため、下シェルの底部開口部が２枚のシャッター及びインナーローターによって両側から閉じている状態で、使用者が手指等で下シェルの底部開口部から２枚のシャッターを内部へ不用意に押し込むようなことがあると、２枚のシャッター及びインナーローターが内部へ簡単に撓んで押し込まれ（入り込むこと）易く、これら２枚のシャッター及びインナーローターがディスクの下向きの記録面に接触して、データが損傷され易いと言う問題があった。
【０００４】
また、ディスクカートリッジの薄形化を実現するためには、インナーローターのほぼ半円形状や一対のほぼ三ケ月形状のディスク載置部の高さを低く設定する必要があり、光ディスク等の記録面がインナーローターの底部上に著しく接近されることになる。
しかし、これらほぼ半円形状や一対のほぼ三ケ月形状のディスク載置部上に光ディスク等の中央部を水平状に載置する構造では、完全な真円形状のディスク載置部上に光ディスク等の中央部を水平状に載置する構造とは異なり、光ディスク等の中央部の全周を完全に載置することができないために、光ディスク等がそのほぼ半円形状や一対のほぼ三ケ月状のディスク載置部における開放部分側に傾き易く、その記録面がインナーローターの底部上に接触して、データが損傷され易いと言う問題もあった。
【０００５】
本発明は、上記の問題を解決するためになされたものであって、ディスクカートリッジ内でのディスク状記録媒体の傾きや手指等によるシャッター及びインナーローターの内部への押し込み等によって、ディスク状記録媒体の記録面が損傷されることを未然に防止することができるように構成されたディスクカートリッジを提供することを目的としている。
【０００６】
【課題を解決するための手段】
上記の目的を達成するための本発明のディスクカートリッジは、内部にディスク状記録媒体が回転自在に収納されたディスクカートリッジにおいて、底部開口部を開閉するシャッターと、前記底部開口部の周辺の内側に成形されて、前記ディスク状記録媒体の中央部の円周上の一部分が水平状に載置される第１のディスク載置部と、前記シャッターの内側に成形されて、このシャッターが前記底部開口部を閉じた時に、前記ディスク状記録媒体の中央部の円周上の他の部分が前記底部開口部内にて水平状に載置される第２のディスク載置部とを備えたものである。
また、本発明のディスクカートリッジは、上下シェルと、内部にディスク状記録媒体が収納されて、前記上下シェル間に回転自在に配置されたインナーローターと、前記下シェルに形成された底部開口部と、前記インナーローターの底部に成形されて、そのインナーローターが閉位置から開位置へ回転された時に前記底部開口部の内側に重ねられる内部開口部と、前記インナーローターの閉位置と開位置との間の回転によって、そのインナーローターと共働して前記底部開口部を開閉するシャッターと、前記インナーローターの底部で、前記内部開口部の周辺の内側に成形されて、前記ディスク状記録媒体の中央部の円周上の一部分が水平状に載置される第１のディスク載置部と、前記シャッターの内側に成形されて、このシャッターが前記底部開口部を閉じた時に、前記ディスク状記録媒体の中央部の他の部分が前記底部開口部内にて水平状に載置される第２のディスク載置部とを備えたものである。
【０００７】
上記のように構成された本発明のディスクカートリッジは、ディスク状記録媒体を底部開口部の周辺の内側に形成された第１のディスク載置部と、シャッターの内側に形成された第２のディスク載置部であって、このシャッターが底部開口部を閉じた時に、底部開口部内に配置される第２のディスク載置部との複数のディスク載置部上に水平状に安定良く載置することができるので、ディスク状記録媒体の傾きを効果的に防止することができる。また、シャッターがディスクカートリッジ内に不用意に押し込まれた時には、そのシャッターに形成されている第２のディスク載置部でディスク状記録媒体の中央部を突き上げるようにして、ディスク状記録媒体をシャッターの内側へ自動的に逃がすことができる。
また、本発明のディスクカートリッジは、特に、上下シェル間に回転自在に配置されたインナーローター内にディスク状記録媒体を収納し、下シェルに底部開口部を形成すると共に、インナーローターの底部に内部開口部を形成し、インナーローターの閉位置と開位置との間の回転によって、そのインナーローターと共働して底部開口部を開閉するシャッターを備えたディスクカートリッジにおいて、ディスク状記録媒体を下シェルの底部開口部の周辺の内側に形成された第１のディスク載置部と、シャッターの内側に形成された第２のディスク載置部であって、このシャッターが底部開口部を閉じた時に、底部開口部内に配置される第２のディスク載置部との複数のディスク載置部上に水平状に安定良く載置することができるので、ディスク状記録媒体の傾きを効果的に防止することができる。また、シャッターがディスクカートリッジ内に不用意に押し込まれた時には、そのシャッターに形成されている第２のディスク載置部でディスク状記録媒体の中央部を突き上げるようにして、ディスク状記録媒体をシャッターの内側へ自動的に逃がすことができる。
【０００８】
【発明の実施の形態】
以下、本発明を適用したディスクカートリッジの実施の形態を図を参照して、以下の順序で説明する。
（１）・・・本発明のディスクカートリッジ全体の概要説明（図１〜図１０）。
（２）・・・本発明のディスクカートリッジのディスク載置部の第１の実施の形態の説明（図２〜図６、図１１〜図１５）。
（３）・・・本発明のディスクカートリッジのディスク載置部の第２の実施の形態の説明（図１７及び図１８）。
（４）・・・本発明のディスクカートリッジのシャッター補強用リブの第１の実施の形態の説明（図２〜図６、図１１〜図１６）。
（５）・・・本発明のディスクカートリッジのシャッター補強用リブの第２の実施の形態の説明（図１７及び図１８）。
（６）・・・従来のディスクカートリッジのディスク載置構造及びシャッターの撓み構造の説明（図１９及び図２０）。
（７）・・・本発明のディスクカートリッジのインナーローター回転駆動用窓穴からのダスト侵入経路の説明（図３、図１１、図２１及び図２２）。
（８）・・・本発明のディスクカートリッジのインナーローター回転駆動用窓穴からのダスト侵入経路中に形成されたラビリンスパッキンの第１の実施の形態の説明（図３、図１１、図２１及び図２３）。
（９）・・・本発明のディスクカートリッジのインナーローター回転駆動用窓穴からのダスト侵入経路中に形成されたラビリンスパッキンの第２の実施の形態の説明（図２４）。
【０００９】
（１）・・・ディスクカートリッジ全体の概要説明
初めに、図１〜図１０によって、インナーローター方式のディスクカートリッジ１全体の概要を説明する。
このディスクカートリッジ１は、モールド部品（合成樹脂成形品）等からなる上下シェル２、３によって扁平な筐形に形成されていて、前端面１ａがほぼ円弧状に形成され、左右両側面１ｂ、１ｃが平行状に形成され、後端面１ｄがほぼ台形状に形成されている。そして、このディスクカートリッジ１の内部にはディスク状記録媒体であるＭＯ、ＤＶＤ、ＤＶＤ−ＲＯＭ等の光ディスク４が記録面４ａを下向きにした状態で、後述するインナーローター１２内に水平に挿入されて収納されている。
そして、このディスクカートリッジ１の一方の側面１ｂには、その上下厚みのほぼ中央部に沿ってラック部材挿入用溝５が水平状に形成されていて、他方の側面１ｃで前端面１ａ側に偏位された位置には、カートリッジ引込み用凹部６が形成されている。また、このディスクカートリッジ１の下面１ｅで後端面１ｄ側に偏位された左右両側位置には真円穴と長穴とからなる左右一対のカートリッジ位置決め用穴（凹部）７ａ、７ｂが形成されていて、このディスクカートリッジ１の上面１ｆで前端面１ａ側に偏位された左右両側位置には角穴形状の左右一対のカートリッジ回転防止用凹部８ａ、８ｂ等が形成されている。
また、光ディスク４の中心穴４ｂの真上位置にはＳＵＳ等の強磁性体からなる円板状のディスククランパー（チャッキングプーリー）９が配置されていて、このディスククランパー９は上シェル２の下面に溶着等にて結合されたクランパー支持リング１０内に回転自在で上下移動可能に水平状に支持されている。
【００１０】
次に、このディスクカートリッジ１の内部には、モールド部品等からなる薄板構造のインナーローター１２が回転自在に収納されていて、そのインナーローター１２の下部にはモールド部品等からなる薄板構造の一対のシャッター１３、１４が回転自在で、水平状にに取り付けられている。そして、インナーローター１２は円形の皿形に成形されていて、円板状の底部１２ａの外周に円筒状の外周壁１２ｂが垂直状に立ち上げられている。このインナーローター１２は下シェル３の上部に隙間１５を有する状態に水平状で、回転自在に載置されていて、このインナーローター１２の外周壁１２ｂが上シェル３の外周部分の内側に形成されている下向きで、垂直状の円筒状溝１６内に回転自在に挿入されている。
そして、光ディスク４がこのインナーローター１２の底部１２ａ上に回転自在で、上下動可能に水平状に載置されていて、このインナーローター１２はディスクカートリッジ１内で後述する閉位置Ｐ１と開位置Ｐ２との間で矢印ａ、ｂ方向に回転駆動されるように構成されている。
【００１１】
次に、このディスクカートリッジ１の下面１ｅである下シェル３には開口部である底部開口部１７が形成されていて、インナーローター１２の底部１２ａにも底部開口部１７とほぼ同一形状の開口部である内部開口部１８が形成されている。そして、後述するように、スピンドルモータ及び記録／再生用ヘッドである光学ピックアップがこれら底部開口部１７及び内部開口部１８を挿通してインナーローター１２内に下方から挿入されるように構成されている。
この際、このディスクカートリッジ１は、２個の光学ピックアップを底部開口部１７及び内部開口部１８内の２箇所に下方から同時に挿入して、光ディスク４の下向きの記録面４ａを直径方向の２箇所で同時に記録／再生することができる２ヘッドタイプのディスクカートリッジ１に構成されている。
【００１２】
そこで、下シェル３の底部開口部１７は、その下シェル３のほぼ中央部に開口された中央開口部１７ａと、その中央開口部１７ａの前後両側からディスクカートリッジ１の前後両端面１ａ、１ｄのほぼ中央位置にかけて、下シェル３を左右幅方向のほぼ中央に沿って前後方向に横断するようにほぼ一直線状に形成された長穴形状の前後両側開口部１７ｂ、１７ｃとによって形成されている。また、インナーローター１２の内部開口部１８も、底部開口部１７と同様に、底部１２ａの中央に形成された中央開口部１８ａと、その中央開口部１８ａの両側から外周壁１２ｂにかけて、底部１２ａを直径方向に横断するようにほぼ一直線状に形成された長穴形状の前後両側開口部１８ｂ、１８ｃとによって形成されていている。
そして、このディスクカートリッジ１が光ディスクドライブ装置内にローディングされた時に、図１０に示すように、底部開口部１７及び内部開口部１８の中央開口部１７ａ及び１８ａ内にスピンドルモータ４１のディスクテーブル４２が下方から挿入され、前後両側開口部１７ｂ、１７ｃ及び１８ｂ、１８ｃ内に２つの光学ピックアップ４４、４５が下方から同時に挿入されるように構成されている。
【００１３】
一方、一対のシャッター１３、１４はインナーローター１２の底部１２ａの下面で、内部開口部１８の両側位置に対称状で、水平状に重ねられていてこれら一対のシャッター１３、１４は互いに反対側の端部が底部１２ａの下面に一体成形された一対の回動支点１９を中心にその底部１２ａの下面に沿って水平状に回転自在に取り付けられている。そして、これら一対のシャッター１３、１４の回動支点１９側とは反対側に対称状に形成されている一対のカム溝２０が下シェル３の上面に一体成形されている一対のカムピン２１に摺動自在に挿入されている。そして、この一対のシャッター１３、１４はインナーローター１２の回転に伴って底部開口部１７を両側から矢印ｃ、ｄ方向に開閉するように構成されている。
【００１４】
他方、インナーローター１２の外周壁１２ｂの外周の一部に一定範囲に亘って円弧状に一体成形された被回転駆動部２２の一部がディスクカートリッジ１の一方の側面１ｂに形成されているラック部材挿入用溝５の長さ方向のほぼ中央位置に開口されている細長いインナーローター回転駆動用窓穴２３内にに露呈されていて、この被回転駆動部２２がインナーローター回転駆動用窓穴２３の外側からラック部材３１によって矢印ａ、ｂ方向に回転駆動されることにより、一対のシャッター１３、１４によって下シェル３の底部開口部１７が開閉されるように構成されている。
この際、インナーローター１２の被回転駆動部２２は、円弧状凸部２２ａと、その円弧状凸部２２ａの円周方向のほぼ中央部に形成された回転開始用凹部２２ｂと、その円弧状凸部２２ａに連続されて円弧状に形成された部分ギア２２ｃと、その部分ギア２２ｃから一定距離隔てた位置に形成された回転終了用凹部２２ｄとを備えている。
【００１５】
なお、このディスクカートリッジ１の前端面１ａと一方の側面１ｂとのコーナー部分１ｈの内部にモール止部品等からなるロックアーム２５が収容されていて、このロックアーム２５は下シェル３の底部３ａ上に一体成形された支点軸２６の周りに矢印ｅ、ｆ方向に回転自在に構成されている。このロックアーム２５の先端部２５ａとは反対側にはロック部２５ｂと弾性部２５ｃとが一体成形されていて、先端部２５ａがラック部材挿入用溝５内のインナーローター回転駆動用窓穴２３より前端面１ａ側に開口された小さい窓穴２７からラック部材挿入用溝５内に矢印ｅ、ｆ方向に出入り自在に構成されている。
また、ラック部材３１もモールド部品等にて成形されていて、先端３１ａ側にはインナーローター回転開始用凸部３２が弾性アーム部３３を介して一体成形されている。そして、その弾性アーム部３３に引き続いてラック３４が一体成形されていて、後端３１ｂ側にはインナーローター回転終了用凸部３５が弾性アーム部３６を介して一体成形されている。なお、前後一対の弾性アーム部３３、３６は互いに前後逆方向等に向けられている。
【００１６】
ここで、ディスクカートリッジ１のインナーローター１２をラック部材３１によって矢印ａ、ｂ方向に回転操作することにより、一対のシャッター１３、１４を矢印ｃ、ｄ方向に開閉駆動して、下シェル３の底部開口部１７を開閉する動作について説明する。
まず、図３及び図５は、ディスクカートリッジ１の底部開口部１７の閉状態を示していて、この時には、インナーローター１２が閉位置Ｐ１まで矢印ｂ方向に回転復帰されて、その底部１２ａの内部開口部１８が底部開口部１７に対して、これらの中央開口部１８ａ、１７ａの中心の周りに矢印ｂ方向へ所定角度に偏位され、一対のシャッター１３、１４が矢印ｄ方向から相互に閉じた閉位置にある。そして、インナーローター１２の底部１２ａの外周部分及び外周壁１２ｂによって底部開口部１７の前後両側開口部１７ｂ、１７ｃの前後両端側部分を閉じると共に、その底部１２ａの一部にオーバラップされている一対のシャッター１３、１４が底部開口部１７の中央開口部１７ａ及び前後両側開口部１７ｂ、１７ｃの中央側部分を閉じることによって、底部開口部１７が内側から完全に閉じられた状態を呈している。
なお、この時、図５に示すように、インナーローター１２の被回転駆動部２２における円弧状凸部２２ａ及び回転開始用凹部２２ｂがディスクカートリッジ１の一方の側面１ｂのインナーローター回転駆動用窓穴２３からラック部材挿入用溝５内に突出されている。
【００１７】
また、図５に示すように、インナーローター１２の外周の一部に一体成形されているストッパー部２８が下シェル３内で、底部開口部１７の一方の端縁の近傍位置に一体成形されているストッパー部２９に矢印ｂ方向から当接されている。
そして、図５に１点鎖線で示すように、ロックアーム２５のロック部２５ｂが弾性部２５ｃの弾性力によってインナーローター１２の外周の回転終了用凹部２２ｄ内に矢印ｆ方向から係合されて、インナーローター１２がこの閉位置Ｐ１にてロック（矢印ａ、ｂ方向の何れにも回転することができない状態）され、そのロックアーム２５の先端部２５ａは小さい窓穴２７からラック部材挿入用溝５内に矢印ｅ方向に突出されている。
【００１８】
次に、このディスクカートリッジ１が光ディスクドライブ装置内にローディングされると、図５及び図６に示すように、このディスクカートリッジ１とラック部材３１との相対移動作用によって、ラック部材３１のインナーローター回転開始用凸部３２、ラック３４及びインナーローター回転終了用凸部３５がディスクカートリッジ１のラック挿入用溝５内に矢印ｇ方向から順次挿入されて、そのラック部材挿入用溝５内に沿って矢印ｇ方向に移動される。
さして、最初に、ラック部材３１のインナーローター回転開始用凸部３２及びラック３４が図５に実線で示すように、ロックアーム２５の先端部２５ａを弾性部２５ｃの弾性力に抗して矢印ｆ方向に押し込んで、ロック部２５ｂをインナーローター１２の回転終了用凹部２２ｄから矢印ｆ方向に離脱し、インナーローター１２の閉位置Ｐ１でのロックを解除する。
そして、この後に、図５に示されているように、ラック部材３１のインナーローター回転開始用凸部３２がインナーローター１２の被回転駆動部２２における円弧状凸部２２ａのほぼ中央部の回転開始用凹部２２ｂ内に弾性アーム部３３の弾性に抗して係合される。
【００１９】
そして、ラック部材３１は、引き続いて図５に示す位置から図６に示す位置までディスクカートリッジ１のラック部材挿入用溝５内に沿って矢印ｇ方向に移動され、その間に、インナーローター回転開始用凸部３２がインナーローター１２の被回転駆動部２２の円弧状凸部２２ａを矢印ａ方向に回転駆動して、ラック部材３１のラック３４が被回転駆動部２２の部分ギア２２ｃに噛合され、そのラック３４が部分ギア２２ｃを矢印ａ方向に回転駆動することにより、インナーローター１２が図５に示す閉位置Ｐ１から図６に示す開位置Ｐ２まで矢印ａ方向に連続的に回転駆動される。
そして、図６に示すように、インナーローター１２が開位置Ｐ２まで回転された時に、ラック部材３１のインナーローター回転終了用凸部３５が被回転駆動部２２の回転終了用凹部２２ｄ内に弾性アーム部３６の弾性力によって係合される。そして、円弧状凸部２２ａの矢印ａ方向側の端部が下シェル３のストッパー部２９に矢印ａ方向から当接されて回転停止されるのとほぼ同時に、ロックアーム２５のロック部２５ｂが弾性部２５ｃの弾性力によってインナーローター１２の外周のストッパー部２８に係合されて、インナーローター１２が開位置Ｐ２にてロックされる。
【００２０】
一方、インナーローター１２が図５に示す閉位置Ｐ１から図６に示す開位置Ｐ２まで矢印ａ方向に回転されたことによって、図４及び図６に示すように、インナーローター１２の内部開口部１８が下シェル３の底部開口部１７の真上に重ねられると共に、一対のシャッター１３、１４の一対の回動支点１９が図３及び図５に示す閉位置Ｐ１から図４及び図６に示す開位置Ｐ２まで矢印ａ方向に回動される。そして、一対のシャッター１３、１４の一対のカム溝２０と、下シェル３の一対のカムピン２１とによる相互のカム作用によって、一対のシャッター１３、１４全体が矢印ａ方向に回動されながら、これら一対シャッター１３、１４がそれぞれ回動支点１９を中心に底部開口部１７及び内部開口部１８の両側の開位置まで矢印ｃ方向に開放されて、下シェル３の底部開口部１７全体が完全に開放される。つまり、インナーローター１２と一対のシャッター１３、１４との共働作用によって底部開口部１７が開放されることになる。
【００２１】
なお、ディスクカートリッジ１が光ディスクドライブ装置内からイジェクトされる際には、図６及び図５に示すように、このディスクカートリッジ１とラック部材３１との相対移動作用によって、ラック部材３１がディスクカートリッジ１のラック部材挿入用溝５内に沿って矢印ｈ方向に排出される。
この際、最初に、ラック部材３１のインナーローター回転終了用凸部３５がインナーローター１２の被回転駆動部２２の円弧状凸部２２ａを駆動して、インナーローター１２が矢印ｂ方向に回転駆動開始されると、図６に１点鎖線で示すように、ロックアーム２５のロック部２５ｂが弾性部２５ｃの弾性力に抗して矢印ｆ方向に回転して、そのロック部２５ｂがストッパー部２８の外方へ外される。
【００２２】
そして、この後に、図６及び図５に示すように、ラック部材３１のラック３４及びインナーローター回転開始用凸部３２がインナーローター１２の被回転駆動部２２の部分ギア２２ｃ及び回転開始用凹部２２ｄに順次噛合及び係合されて、ラック部材３１によってインナーローター１２が図６に示す開位置Ｐ２から図５に示す閉位置Ｐ１まで矢印ｂ方向に連続的に回転駆動される。
すると、前述した下シェル３の底部開口部１７の開放動作の逆動作で、図３及び図５に示すように、インナーローター１２の内部開口部１８が下シェル３の底部開口部１７に対して矢印ｂ方向へ所定角度に偏位されると共に、一対のシャッター１３、１４が開位置から閉位置まで矢印ｄ方向から相互に閉じて、インナーローター１２の底部１２ａの外周部分と一対のシャッター１３、１４とによって底部開口部１７全体が内側から完全に閉ざされることになる。つまり、インナーローター１２と一対のシャッター１３、１４との共働作用によって底部開口部１７が閉ざされることになる。
そして、この後に、ラック部材３１はディスクカートリッジ１のラック部材挿入用溝５内から図５の矢印ｈ方向に完全に排出される。
【００２３】
なお、図７及び図９に示すように、ディスクカートリッジ１の光ディスク４はその記録面４ａを下向きにした状態で、インナーローター１２内の底部１２ａ上に回転自在で、上下移動可能なように水平状に載置されている。
そして、図８及び図１０に示すように、ディスクカートリッジ１が光ディスクドライブ装置内にローディングされた時には、底部開口部１７及び内部開口部１８の中央開口部１７ａ及び１８ａを通して下方から相対的に挿入されたスピンドルモータ４１のディスクテーブル４２上の円錐台形状のセンターリング用ハブ４３の外周に光ディスク４の中心穴４ｂが嵌合される。そして、ディスクテーブル４２によって光ディスク４がディスククランパー９と共にインナーローター１２の底部１２ａの上方へ押し上げられると共に、ディスクテーブル４２のチャッキングマグネット（図示せず）によって下方へ吸引されるディスククランパー９によって光ディスク４がディスクテーブル４２上に水平状にチャッキングされる。
また、この時、図１０に１点鎖線で示すように、２ヘッドタイプである２つの光学ピックアップ４４、４５が底部開口部１７及び内部開口部１８の前後両側開口部１７ｂ、１７ｃ及び１８ｂ、１８ｃ内に下方から相対的に挿入される。
そして、スピンドルモータ４１によって光ディスク４が回転駆動されながら、光ディスク４の記録面４ａにおける直径方向の２箇所において、２つの光学ピックアップ４４、４５による半径方向Ｘ１、Ｘ２の走査（シーク及びトラッキング）が同時又は選択的に行われて、これら２つの光学ピックアップ４４、４５によるデータの記録／再生が同時又は選択的に行われるように構成されている。
【００２４】
（２）・・・本発明のディスクカートリッジのディスク載置部の第１の実施の形態の説明
次に、図３〜図６、図１１〜図１８によって、本発明のディスクカートリッジ１のインナーローター１２及び一対のシャッター１３、１４に一体成形されているディスク載置部の第１の実施の形態について説明する。
このディスク載置部は、インナーローター１２内に収納されている光ディスク４の中心穴４ｂが形成されている円形の中央部４ｃを下方から支持して、光ディスク４の下面の記録面４ａがインナーローター１２の底部１２ａに接触して、データが損傷されることを防止するための構造部である。
【００２５】
この際、前述したように、ディスクカートリッジ１は２ヘッドタイプに構成されていて、インナーローター１２の底部１２ａに形成されている内部開口部１８は、図１０に示すように、スピンドルモータ４１が挿入される中央開口部１８ａと、その前後両側に接続されて、２つの光学ピックアップ４４、４５が挿入される長穴形状の前後両側開口部１８ｂ、１８ｃとによって形成されている。
従って、中央開口部１８ａの前後両側が開放されていて、この中央開口部１８ａは完全な円形穴に形成することができない構造であることから、光ディスク４の中央部４ｃを下方から支持する完全な円形状のディスク載置部をインナーローター１２の底部１２ａ上に一体成形することができない。
【００２６】
そこで、このディスクカートリッジ１では、インナーローター１２の底部１２ａの上面（内側）であって、内部開口部１８における中央開口部１８ａの相対向する周辺の２箇所に一対の第１のディスク載置部５１が一体成形されていて、これら一対の第１のディスク載置部５１はほぼ三ケ月形状等で対称状に形成されている。
また、一対のシャッター１３、１４が矢印ｄ方向から相互に閉じた時に相互に接触される接触縁１３ａ、１４ａの上面（内側）に一対の第２のディスク載置部５２が一体成形されていて、これら一対の第２のディスク載置部５２はほぼ円弧状等で、対称状に形成されている。その際、これら一対の第２のディスク載置部５２は、一対の第１のディスク載置部５１の対向方向に対してほぼ直交する方向の２箇所であって、一対の第１のディスク載置部５１とほぼ同一円周上の位置に配置されている。
なお、図１４及び図１５に示すように、これら各一対の第１及び第２のディスク載置部５１、５２の水平な上端面５１ａ、５２ａは同一水平レベルに配置されている。
【００２７】
そして、一対の第２のディスク載置部５２は前述した一対のシャッター１３、１４の矢印ｃ、ｄ方向の開閉時に、これら一対のシャッター１３、１４と一体にインナーローター１２に対して矢印ｃ、ｄ方向に可動される可動式ディスク載置部に構成されている。そして、図３、図５及び図１１に示すように、一対のシャッター１３、１４が閉位置まで矢印ｄ方向に閉じた時に、これら一対の第２のディスク載置部５２が、一対の第１のディスク載置部５１の対向方向に対してほぼ直交する方向の２箇所へ移動される。また、図４及び図６に示すように、一対のシャッター１３、１４が開位置まで矢印ｃ方向に開いた時には、これら一対の第２のディスク載置部５２がインナーローター１２の底部１２ａで内部開口１８における両側開口部１８ｂ、１８ｃの巾方向の両側縁１８ｄの一部に形成されたほぼ円弧状等の一対の切欠き５３内に入り込むように構成されている
【００２８】
以上のように構成された本発明のディスクカートリッジ１のディスク載置部によれば、光ディスク４が底部１２ａ上に水平状に載置されるインナーローター１２の内部開口部１８における中央開口部１８ａが円形穴に構成されておらず、その中央開口部１８ａの前後両側が前後両側開口部１８ｂ、１８ｃによって開放されている構造であるにも拘らず、図１１、図１３〜図１５に示すように、一対のシャッター１３、１４が閉状態となることにより、インナーローター１２の底部１２ａ上の一対の第１のディスク載置部５１と、一対のシャッター１３、１４上の可動式ディスク載置部である一対の第２のディスク載置部５２とを内部開口部１８の中央開口部１８ａの周囲のほぼ同一円周上のほぼ４等分位置に集合させるように配置させることができる。
しかも、その集合された合計４つのディスク載置部５１、５２の水平な上端面５１ａ、５２ａは同一水平レベルとなる。
【００２９】
従って、光ディスク４をインナーローター１２の底部１２ａ上に水平状に載置する際に、その光ディスク４の中心穴４ｂが形成されている円形の中央部４ｃの水平な下面４ｄを４つのディスク載置部５１、５２の上端面５１ａ、５２ａ上に非常に安定良く水平に載置することができる。そして、光ディスク４の中央部４ｃの外周の下向きの記録面４ａとインナーローター１２の底部１２ａとの間に安定した隙間５４が形成される。
そして、このように、合計４つのディスク載置部５１、５２によって光ディスク４の中央部４ｃの下面４ｄにおける円周方向のほぼ４等分位置を下方から安定良く支持すれば、インナーローター１２内での光ディスク４の全方向（３６０°）の傾きを防止することができ、その光ディスク４の傾きによって、記録面１０４がインナーローター１２の底部１２ａ上に接触されて、データが損傷されることを未然に防止することができる。
【００３０】
また、本発明のディスクカートリッジ１は、下シェル３の底部開口部１７がその下シェル３の前後両端まで開放されていることから、図９に１点鎖線で示したように、シャッター閉状態のディスクカートリッジ１を手Ｈ１で上下から握って光ディスクドライブ装置内にローディング及びイジェクトする際に、人差指Ｈ２等を底部開口部１７内に不用意に挿入してしまい、薄板構造のシャッター１３、１４の両方又は何れか一方をその人差指Ｈ２によって上方（矢印ｉ方向）へ撓ませるようにして押し込んでしまうようなことが考えられる。
しかし、シャッター１３、１４の何れの上部にも、第２のディスク載置部５２が一体成形されているので、これらのシャッター１３、１４が上方へ押し込まれた時には、第２のディスク載置部５２が光ディスク４の中央部４ｃの下面４ｄを上方（矢印ｉ方向）へ突き上げるようにして、光ディスク４の記録面４ａを一対のシャッター１３、１４から上方へ自動できに逃がすことができる。従って、その上方（矢印ｉ方向）へ押し込まれたシャッター１３、１４が光ディスク４の記録面４ａに接触されて、データが損傷されることも未然に防止することができる。
【００３１】
また、図４及び図６に示すように、一対のシャッター１３、１４が矢印ｃ方向に開いた時に、一対の第２のディスク載置部５２をインナーローター１２の底部で、内部開口部１８の両側縁１８ｄに形成された一対の切欠き５３内に入り込ませるように構成することにより、一対のシャッター１３、１４の矢印ｃ方向の開放ストロークが一対のディスク載置部５２によって制限されてしまうことを未然に防止することができる。
換言すれば、一対のシャッター１３、１４の開閉ストロークを大きくとることができて、インナーローター１２の内部開口部１８及び下シェル３の底部開口部１７の溝幅（長さ方向に対して直角な方向の幅）を十分に大きく設定することができる。
【００３２】
（３）・・・本発明のディスクカートリッジのディスク載置部の第２の実施の形態の説明
次に、図１７及び図１８によって、本発明のディスクカートリッジ１のインナーローター１２及びシャッター１２に一体成形されたディスク載置部の第２の実施の形態について説明する。
このディスクカートリッジ１は、１つの光学ピックアップによって光ディスク４を記録／再生する１ヘッドタイプのディスクカートリッジ１を示したものであって、下シェル３の底部開口部１７及びインナーローター１２の内部開口部１８がほぼ半円形状の中央開口部１７ａ、１８ａと、その中央開口部１７ａ、１８ａの開口端に接続された一側開口部１７ｂ、１８ｂとによってほぼＵ字形状に形成されている。
【００３３】
そこで、第１のディスク載置部５１をインナーローター１２の底部１２ａの上部（内部）で、中央開口部１１２の外周に沿ってほぼ半円形状に一体成形し、第２のディスク載置部５２を一対のシャッター１３、１４の接触縁１３ａ、１４ａの上面（内側）の何れか一方、又は、両方にほぼ円弧状に一体成形して、一対のシャッター１３、１４が矢印ｄ方向から相互に閉じた時に、第２のディスク載置部５２がほぼ半円形状の第１のディスク載置部５１とほぼ同一円周上であって、その第１のディスク載置部５１の開放部分５１ｂのほぼ中央付近に配置させるように構成したものである。
なお、インナーローター１２の内部開口部１８の一側開口部１８ｂの両側縁１８ｄの何れか一方、又は、両方にはシャッター開放時に、第２のディスク載置部５２が入り込むことができる切欠き５３が形成されている。
【００３４】
従って、この場合も、光ディスク４の円形の中央部４ｃの下面４ｄをほぼ半円形状の第１のディスク載置部５１と、その開放部分のほぼ中央付近に配置されたほぼ円弧状の第２のディスク載置部５２との水平な上端面５１ａ、５２ａ上に水平に安定良く載置することができる。
また、前述したディスク載置部の第１の実施の形態と同様に、光ディスク４の中央部４ｃのほぼ全周を第１及び第２のディスク載置部５１、５２によって下方から安定良く支持することができるので、インナーローター１２内での光ディスク４の全方向（３６０°）の傾きを防止することができ、前述したディスク載置部の第１の実施の形態と同様の効果を奏することができる。
そして、以上のように構成される本発明のディスク載置部の第１及び第２の実施の形態によれば、例えば、ＭＤカートリッジにおける上下シェルの上下一対のほぼＵ字形状の開口部の内面に上下一対の第１のディスク載置部５１をほぼ半円形状等に形成し、金属製等のスライド式シャッターの上下一対の内面の一部に上下一対の可動式の第２のディスク載置部５２を円弧状等に形成して、前述した第２の実施の形態と同様に、これらの第１及び第２のディスク載置部５１、５１によって、ＭＤの中心部の上下をそれぞれほぼ全周に亘って安定良く支持するように構成することもできる。
【００３５】
（４）・・・本発明のディスクカートリッジのシャッター補強用リブの第１の実施の形態の説明
次に、図２〜図６、図１１〜図１６によって、本発明のディスクカートリッジ１の一対のシャッター１３、１４に一体成形されているシャッター補強用リブの第１の実施の形態について説明する。
前述のように、本発明のディスクカートリッジ１におけるモールド部品等からなる薄板構造の一対のシャッター１３、１４は剛性が低い構造を呈している。
その上、図３や図１１等に示されているように、ディスクカートリッジ１の底部開口部１７の閉塞状態では、一対のシャッター１３、１４がその底部開口部１７の両側から矢印ｄ方向に相互に閉じて、これら一対のシャッター１３、１４が矢印ｄ方向から相互に接触される接触縁３ａ、１４ａが底部開口部１７の中央開口部１７ａの中心から前後両側開口部１７ｂ、１７ｃにかけて斜めに、しかも、長いスパンＳで横断する形態となっている。
従って、特に、シャッター１３、１４の接触縁１３ａ、１４ａ部分の剛性が低く、容易に撓み易い構造となっている。
【００３６】
そこで、中央開口部１７ａの中心位置に相当する位置で、一対のシャッター１３、１４の接触縁１３ａ、１４ａの長さ方向の中央部１３ｂ、１４ｂ部分をほぼクランク状に屈曲し、これら一対の接触縁１３ａ、１４ａにおける中央部１３ｂ、１４ｂの両側には、図１２、図１３及び図１６等に示すように、上下逆向きの各一対の斜面５７、５８を対称状に形成している。
そして、図３、図７、図１３、図１６等に示すように、一対のシャッター１３、１４が矢印ｄ方向から相互に閉じた時には、一対の接触縁１３ａ、１４ａの中央部１３ｂ、１４ｂを矢印ｄ′方向の分力によって相互に密着（軽圧着）させる一方、一対の接触縁１３ａ、１４ａの上下逆向きで、対称状の各一対の斜面５７、５８を上下から相互に密着（軽圧着）させることにより、これら一対の接触縁１３ａ、１４ａどうしがその斜面５７、５８部分で上下から相互に重なり合って、これら一対の接触縁１３ａ、１４ａの剛性が向上するようになされている。
【００３７】
その上で、一対のシャッター１３、１４の接触縁１３ａ、１４ａの上下両面（内外両面）で、斜面５７、５８の上下反対側の面のエッジに沿って上下各一対のシャッター補強用リブ５９、６０を一体成形して、これら一対の接触縁１３ａ、１４ａの剛性を更に向上させている。
この際、図１２に示すように、一対のシャッター１３、１４の厚みＴ１＝約１．１ｍｍに構成され、シャッター補強用リブ５９、６０の厚みＴ２＝約０．８ｍｍに構成されている。また、前述した第２のディスク載置部５２が一対のシャッター１３、１４の上面で、一方のシャッター補強用リブ５９、６０の一部と交差する状態に一体成形されていて、これら第２のディスク載置部５２の高さ（厚み）＝約０．９ｍｍに構成されている。
【００３８】
このように構成された本発明のシャッター補強用リブの第１の実施の形態によれば、図３、図７、図１３、図１６に示すように、一対のシャッター１３、１４が底部開口部１７の両側から矢印ｄ方向に相互に閉じて、これら一対の接触縁１３ａ、１４ａが矢印ｄ方向から相互に接触された時に、これらの接触縁１３ａ、１４ａの各一対の斜面５７、５８が上下から相互に密着されるように重なり合うと共に、その相互に密着された接触縁１３ａ、１４ａの上下両側に一対のシャッター補強用リブ５９、６０が上下から重なるように配置されて、これら一対のシャッター補強用リブ５９、６０によって一対のシャッター１３、１４が上下から高剛性に補強されることになる。
ここで、シャッター補強用リブ５９、６０を一対のシャッター１３、１４の接触縁１３ａ、１４ａに沿ってこれらのシャッター１３、１４の上下両面に一体成形したことにより、これらのシャッター１３、１４単独の剛性を向上することができる。その上、これらのシャッター１３、１４が矢印ｄ方向から閉じて、これらの一対の接触縁１３ａ、１４ａ矢印ｄ方向から相互に接触された時には、その一対の接触縁１３ａ、１４ａ部分の上下が一対のシャッター補強用リブ５９、６０によって相互に補強されて、その一対の接触縁１３ａ、１４ａ部分でのトータルの剛性が向上することになる。
【００３９】
従って、図９に１点鎖線で示したように、シャッター閉状態のディスクカートリッジ１を手Ｈ１で上下から握って光ディスクドライブ装置内にローディング及びイジェクトする際に、人差指Ｈ２等を底部開口部１７内に不用意に挿入してしまい、その人差指Ｈ２によって薄板構造のシャッター１３、１４の両方又は何れか一方に上方（矢印ｉ方向）への押圧力を付与するようなことがあっても、高剛性に補強されている一対のシャッター１３、１４は上方へは撓み難い構造となっている。従って、一対のシャッター１３、１４が上方（矢印ｉ方向）へ容易に撓んで光ディスク４の記録面４ａに接触され、データが損傷されることを未然に防止することができる。
なお、シャッター補強用リブ５９、６０は一対のシャッター１３、１４の接触縁１３ａ、１４ａの上面（内面）のみや下面（外面）のみに一体成形したものであっても良い。
また、図４、図６、図１１、図１３等に示すように、一対のシャッター１３、１４が矢印ｃ方向に相互に開蓋した時に、これら一対のシャッター１３、１４の接触縁１３ａ、１４ａのエッジに沿って一体成形されている上下各一対のシャッター補強用リブ５９、６０に対する逃げ用のほぼ溝形状の切欠き６１、６２が底部開口部１７及び内部開口部１８における前後両側開口部１７ｂ、１７ｃ及び１８ｂ、１８ｃの両側縁に沿って形成されている。
【００４０】
（５）・・・本発明のディスクカートリッジのシャッター補強用リブの第２の実施の形態の説明
次に、図１７及び図１８によって、本発明のディスクカートリッジの一対のシャッター１３、１４に一体成形されているシャッター補強用リブの第２の実施の形態について説明する。
この場合は、このディスクカートリッジ１は、１つの光学ピックアップによって光ディスク４を記録／再生する１ヘッドタイプのディスクカートリッジ１を示したものであって、下シェル３の底部開口部１７及びインナーローター１２の内部開口部１８がほぼ半円形状の中央開口部１７ａ、１８ａと、その中央開口部１７ａ、１８ａの開口端に接続された一側開口部１７ｂ、１８ｂとによってほぼＵ字形状に形成されている。
そして、主として底部開口部１７及び内部開口部１８の一側開口部１７ｂ、１８ｂ内相当位置にて、一対のシャッター１３、１４の接触縁１３ａ、１４ａのエッジに沿って上下一対のシャッター補強用リブ５９、６０を一体成形したものであり、前述したシャッター補強用リブの第１の実施の形態と同等の効果が得られるように構成したものである。
【００４１】
（６）・・・従来のディスクカートリッジのディスク載置構造及びシャッタ−撓み構造の説明
ここで、２３及び図２４によって、従来のディスク載置構造及びシャッター撓み構造について説明する。
まず、従来のディスク載置構造は、１ヘッドタイプのディスクカートリッジ１が示されていて、インナーローター１２の底部１２ａに形成されている内部開口部１８がほぼ半円形状の中央開口部１８ａと、その中央開口部１８ａの一つの開口部に接続された一側開口部１８ｂとによってほぼＵ字形状に形成されていた。そして、ディスク載置部５１がインナーローター１２の底部１２ａの上部（内部）で、中央開口部１８ａの外周のみに沿ってほぼ半円形状に一体成形されたものであった。
そして、シャッター１３、１４の上面（内面）にはディスク載置部が何等形成されておらず、ほぼ半円形状のディスク載置部５１の一側部は開放部分５１ｂとなっていた。
従って、光ディスク４の中央部４ｃをこのディスク載置部５１上に水平に載置した時に、ディスク載置部５１の開放部分５１ｂではその中央部４ｃを支持することが全くできず、このディスク載置部５１はその中央部４ｃのほぼ半円形の領域のみを支持することになる。
このため、図２４に１点鎖線で示すように、ディスク載置部５１上に水平に載置された光ディスク４は、そのディスク載置部５１の開放部分５１ｂ側にて下方（矢印ｊ方向）に容易に傾き易く、その光ディスク４の下向きの記録面４ａがインナーローター１２の底部１２ａ上に接触してデータが損傷され易いと言う問題があった。
【００４２】
また、従来のシャッター撓み構造に関しては、薄板構造のシャッター１３、１４にシャッター補強用リブが何等成形されておらず、シャッター１３、１４は外力によって容易に撓み易いために、図９、図２３及び図２４に１点鎖線で示したように、シャッター閉状態のディスクカートリッジ１を手Ｈ１で上下から握って光ディスクドライブ装置内にローディング及びイジェクトする際に、人差指Ｈ２等を底部開口部１７内に不用意に挿入してしまい、図２３及び図２４に一点鎖線で示すように、薄板構造のシャッター１３、１４の両方又は、何れかをその人差指Ｈ２によって上方（矢印ｉ方向）へ容易に撓ませるように押し込んでしまうようなことがあった。その結果、シャッター１３、１４が光ディスク４の下向きの記録面１４ａに接触して、データが損傷され易いという問題があった。
なお、この際、シャッター１３、１４が矢印ｄ方向から相互に閉じて相互に接触される接触縁１３ａ、１４ａ部分は、強度的が特にに弱いために、シャッター１３、１４は手指等によって上方である矢印ｉ方向へ容易に撓んで入り込み易いものである。
【００４３】
しかるに、前述した本発明のディスクカートリッジ１のディスク載置部及びシャッター補強用リブの第１及び第２の実施の形態によれば、上記した問題点を解消することができるものである。
【００４４】
（７）・・・本発明のディスクカートリッジのインナーローター回転駆動用窓穴からのダスト侵入経路の説明
次に、図３、図１１、図１９及び図２０によって、本発明のディスクカートリッジ１のインナーローター回転駆動用窓穴からのダスト侵入経路について説明する。
前述したように、本発明のディスクカートリッジ１は、２ヘッドタイプに構成されていることから、底部開口部１７が下シェル３を前後方向にほぼ一直線状に横断した形状に形成されていて、内部開口部１８もインナーローター１２の底部１２ａを直径方向にほぼ一直線状に横断した形状に形成されている。
従って、インナーローター１２が開位置Ｐ２から閉位置Ｐ１まで矢印ｂ方向に回転復帰されて、このインナーローター１２の底部１２ａの外周部分及び一対のシャッター１３、１４によって下シェル３の底部開口部１７全体が内側から完全に閉ざされた時に、インナーローター１２の底部１２ａに開口されている内側開口部１８の一部である後側開口部１８ｃがディスクカートリッジ１の側面１ｂに開口されているインナーローター回転駆動用窓穴２３に著しく接近された状態になる。
【００４５】
この結果、本発明のディスクカートリッジ１では、図３、図１１、図１９及び図２０に矢印ｊで示すように、外気中に含まれているダスト（塵埃）が外気と一緒にインナーローター回転駆動用窓穴２３からインナーローター１２の被回転駆動部２２の下部を通ってインナーローター１２の底部１２ａの下部の隙間１５内に侵入し、更に、その隙間１５内からインナーローター１２の内側開口部１８の後側開口部１８ｃの外周部分を通ってインナーローター１２内へ下方から吹き上げるように侵入してしまうダスト侵入経路６５が考えられる。
そして、このダスト侵入経路６５を通ってインナーローター１２内へ下方から吹き上げるように侵入したダストは、インナーローター１２内に収納されている光ディスク４の下向きの記録面４ａに容易に付着してしまうことになる。
そして、光ディスク４の下向きの記録面４ａにダストが付着されたまま、ディスクカートリッジ１が光ディスクドライブ装置内にローディングローディングされて、その光ディスク４のデータの記録／再生が行われるようなことがあると、ダスト付着によるスペーシングロス等によるデータの記録／再生のミスを招くことになり、特に、本発明のように高密度記録方式のディスクカートリッジ１では重大な問題を呈することになる。
【００４６】
なお、図２０の（Ｂ）に点線の矢印ｋ方向で示すように、ディスクカートリッジ１のインナーローター回転駆動用窓穴２３からダストがインナーローター１２の外周壁１２ｂを上方へ迂回するようにして、上シェル２の円筒状溝１６内を通ってインナーローター１２内に侵入するダスト侵入経路６６も考えられるが、このダスト侵入経路６６は円筒状溝１６内が一種のラビリンスパッキン構造に構成されているので、ダストはこのダスト侵入経路６６中に堆積され易く、光ディスク４の下向きの記録面４ａに付着される可能性は極めて少ないものとなっている。
【００４７】
（８）・・・本発明のディスクカートリッジのインナーローター回転駆動用窓穴からのダスト侵入経路中に形成されたラビリンスパッキン（Labyrinth Packing ）の第１の実施の形態の説明
次に、図３、図１１、図１９及び図２１によって、本発明のディスクカートリッジ１の前述したダスト侵入経路６５内に形成されたラビリンスパッキン６７の第１の実施の形態について説明する。
このラビリンスパッキン６７の第１の実施の形態は、インナーローター１２の底部１２ａの下面の最外周位置で、内部開口部１８の後部開口部１８ｃより矢印ｂ方向側（インナーローター１２を閉じる方向側）へ偏位された位置に同心円状の円弧状リブ６８を一体成形している。この円弧状リブ６８の円周方向の長さをインナーローター回転駆動用窓穴２３の長さと同等若しくはそれよりも長く設定されている。そして、インナーローター回転駆動用窓穴２３の内側で、その窓穴２３から下シェル３の前述した隙間１５内に直角状に落ち込む位置に、円弧状リブ６８と平行な円弧状段差面６９を一体成形している。
そして、図３、図１１、図１９及び図２１に示すように、インナーローター１２が閉位置Ｐ１まで矢印ｂ方向に回転されて、底部開口部１７が完全に閉ざされた時に、インナーローター１２の円弧状リブ６８が下シェル３の円弧状段差面６９の内側に平行に対向され、かつ、これら円弧状リブ６８と円弧状段差面６９との間の隙間が円弧状で、微小な隙間７０になるように構成したものである。
【００４８】
このように構成されたラビリンスパッキン６７によれば、ディスクカートリッジ１の底部開口部１７がインナーローター１２と一対のシャッター１３、１４によって完全に閉じられた密閉状態の時に、ダストが外気と一緒にインナーローター回転駆動用窓穴２３からダスト侵入経路６５中のラビリンスパッキン６７を構成している微小な隙間７０を矢印ｊ方向に通過する際に、その外気が一度圧縮されて、圧力が高められた後、微小な隙間７０から広い隙間１５内に流入する瞬間に急激に膨張して圧力が低下することによるエネルギー損失を招くラビリンスパッキンの原理に基づき、ダストが外気から分離して隙間１５内に捕獲（分離、堆積）されることになる。
従って、ダストが外気と一緒に、隙間１５内からインナーローター１２の内側開口部１８の後側開口部１８ｃを通ってインナーローター１２内に下方から吹き上がるように侵入して光ディスク４の下向きの記録面４ａに付着することを未然に防止することができる防塵性の高いディスクカートリッジ１が得られる。
【００４９】
（９）・・・本発明のディスクカートリッジのインナーローター回転駆動用窓穴からのダスト侵入経路中に形成されたラビリンスパッキンの第２の実施の形態の説明
次に、図２２によって、本発明のディスクカートリッジ１の前述したダスト侵入経路６５中に形成されたラビリンスパッキン６７の第２の実施の形態について説明する。
このラビリンスパッキン６７の第２の実施の形態は、下シェル３の隙間１５内で、円弧状段差面６９より内側位置に、その円弧状段差面６９と平行な円弧状リブ７１を一体成形して、インナーローター１２が閉位置Ｐ１まで矢印ｂ方向に回転された時に、インナーローター１２の底部１２ａの下面に一体成形されている円弧状リブ６８が下シェル３の円弧状段差面６９と円弧状リブ７１との間に挿入され、かつ、その円弧状リブ６８と円弧状段差面６９との間に微小な隙間７０が形成されると共に、その円弧状リブ６８と円弧状リブ７１との間にも微小隙間７２が形成されるように構成されたものである。
【００５０】
従って、このラビリンスパッキン６７の第２の実施の形態によれば、ダストが外気と一緒にインナーローター回転駆動用窓穴２３からダスト侵入経路６５中のラビリンスパッキン６７を構成している２箇所の微小な隙間７０、７２を通過する際に、２回に亘って圧縮、膨張が行われることになり、外気からのダストの分離効果がより一層向上する利点が得られることになる。
【００５１】
以上、本発明の実施の形態について説明したが、本発明は上記した実施の形態に限定されることなく、本発明の技術的思想に基づいて各種の有効な変更が可能である。
例えば、本発明は、上シェル２の全部又は一部を下シェル３に対して開閉自在に構成して、ディスク４をインナーローター１２内に交換（脱着）可能に収納することができるリムーバブルディスク（Removable Disk）用キャディと称されるディスクカートリッジにも適用可能である。
また、本発明は、ＭＯ、ＤＶＤ、ＤＶＤ−ＲＯＭ等の光ディスクや光磁気ディスク、或いは磁気ディスク、その他の各種記録／再生方式のディスク状記録媒体を収納する各種のディスクカートリッジに適用可能である。
【００５２】
【発明の効果】
以上のように構成された本発明のディスクカートリッジは、次のような効果を奏することができる。
【００５３】
請求項１は、ディスク状記録媒体を底部開口部の周辺の内側に形成された第１のディスク載置部と、シャッターの内側に形成された第２のディスク載置部であって、このシャッターが底部開口部を閉じた時に、底部開口部内に配置される第２のディスク載置部との複数のディスク載置部上に水平状に安定良く載置することができるので、ディスク状記録媒体の傾きを効果的に防止することができ、シャッターがディスクカートリッジ内に不用意に押し込まれた時には、そのシャッターに形成されている第２のディスク載置部でディスク状記録媒体の中央部を突き上げるようにして、ディスク状記録媒体をシャッターの内側へ自動的に逃がすことができるようにしたので、構造が簡単で、製造が容易なものでありながら、ディスクカートリッジ内でのディスク状記録媒体の傾きやシャッターのディスクカートリッジ内への押し込み等によるディスク状記録媒体の記録面のデータの破損を未然に防止することができて、ディスクカートリッジをディスクドライブ装置に出し入れ操作する際等におけるデータ保護の安全性が著しく向上する。
【００５４】
請求項２は、特に、上下シェル間に回転自在に配置されたインナーローター内にディスク状記録媒体を収納し、下シェルに底部開口部を形成すると共に、インナーローターの底部に内部開口部を形成し、インナーローターの閉位置と開位置との間の回転によってそのインナーローターと協同して底部開口部を開閉するシャッターを備えたディスクカートリッジにおいて、ディスク状記録媒体を下シェルの底部開口部の周辺の内側に形成された第１のディスク載置部と、シャッターの内側に形成された第２のディスク載置部であって、このシャッターが底部開口部を閉じた時に、底部開口部内に配置される第２のディスク載置部との複数のディスク載置部上に水平状に安定良く載置することができるので、ディスク状記録媒体の傾きを効果的に防止することができ、シャッターがディスクカートリッジ内に不用意に押し込まれた時には、そのシャッターに形成されている第２のディスク載置部でディスク状記録媒体の中央部を突き上げるようにして、ディスク状記録媒体をシャッターの内側へ自動的に逃がすことができるようにしたので、構造が簡単で、製造が容易な構造でありながら、ディスクカートリッジ内でのディスク状記録媒体の傾きやシャッターのディスクカートリッジ内への押し込み等によるディスク状記録媒体の記録面のデータの破損を未然に防止することができて、ディスクカートリッジをディスクドライブ装置に出し入れ操作する際等におけるデータ保護の安全性が著しく向上した、高密度記録のディスクカートリッジを提供することができる。
【００５５】
請求項３は、シャッターが開位置から閉位置へ移動された時に、そのシャッターの第２のディスク載置部が底部開口部内にてインナーローターの第１のディスク載置部とほぼ同心円状に配置されるようにしたので、ディスク状記録媒体の中心部のほぼ全周を第１、第２のディスク載置部によって下方から支持することができ、ディスク載置部上でのディスク状記録媒体の傾きを一層確実に防止することができる。
【００５６】
請求項４は、シャッターが下シェルとインナーローターとの間に配置され、シャッターが閉位置から開位置へ移動された時に、そのシャッターの第２のディスク載置部がインナーローターの内部開口部の縁部に形成された逃げ用切欠き内に収容されるようにしたので、シャッターの開閉ストロークを大きく設定することができる。
【００５７】
請求項５は、底部開口部及び内部開口部がそれぞれ中央開口部と、その両側に接続された一対の両側開口部とを有する２ヘッドタイプに構成され、記底部開口部を開閉するシャッターが一対に構成され、第１のディスク載置部がインナーローターの内部開口部における中央開口部の両側の内側に一対成形され、第２のディスク載置部が一対のシャッターの内側に一対成形され、一対のシャッターが底部開口部を閉じた時に、これら一対のシャッターの一対の２のディスク載置部が底部開口部内で、一対の第１のディスク載置部の間にほぼ同心円状に配置されるようにしたので、底部開口部及び内部開口部が２ヘッドタイプに構成されたディスクカートリッジでありながら、ディスク状記録媒体の中心部のほぼ全周を第１、第２のディスク載置部によって下方から支持することができ、ディスク載置部上でのディスク状記録媒体の傾きを確実に防止することができる。
【図面の簡単な説明】
【図１】本発明を適用したディスクカートリッジ全体の斜視図である。
【図２】同上のディスクカートリッジの分解斜視図である。
【図３】同上のディスクカートリッジの底部開口部の閉状態を示した一部切欠き下面図である。
【図４】同上のディスクカートリッジの底部開口部の開状態を示した一部切欠き下面図である。
【図５】同上のディスクカートリッジのインナーローターの回転駆動構造を説明する底部開口部が閉状態の時を上から透視した一部切欠き透視図である。
【図６】同上のディスクカートリッジのインナーローターの回転駆動構造を説明する底部開口部が開状態の時を上から透視した一部切欠き透視図である。
【図７】図１のＡ−Ａ矢視での拡大断面図である。
【図８】図７と同じ拡大断面図であって、底部開口部に挿入されたスピンドルモータに光ディスクがチャキングされた様子を示した拡大断面図である。
【図９】図１のＢ−Ｂ矢視での拡大断面図である。
【図１０】図９と同じ拡大断面図であって、底部開口部に挿入されたスピンドルモータに光ディスクがチャッキングされ、底部開口部に２つの光学ピックアップが挿入された様子を示した拡大断面図である。
【図１１】同上のディスクカートリッジのインナーローターと下シェルを示した斜視図である。
【図１２】同上のディスクカートリッジのシャッターの上面、側面、下面及び一部の拡大側面を示した図面である。
【図１３】同上のディスクカートリッジの第１、第２のディスク載置部とシャッター補強用リブの第１の実施の形態を説明する要部の拡大斜視図である。
【図１４】図１３のＣ−Ｃ矢視での拡大断面図である。
【図１５】図１３のＤ−Ｄ矢視での拡大断面図である。
【図１６】図１３のＥ−Ｅ矢視での拡大断面図である。
【図１７】同上のディスクカートリッジの第１、第２のディスク載置部とシャッター補強用リブの第２の実施の形態を説明する下面図である。
【図１８】図１８の要部の拡大斜視図である。
【図１９】同上のディスクカートリッジのインナーローター回転駆動用窓穴からインナーローター内へのダスト侵入経路を説明する要部の切欠き平面図である。
【図２０】同上のダスト侵入経路を説明する図１１及び図１９のＦ−Ｆ矢視での断面斜視図及び要部の拡大断面図である。
【図２１】同上のダスト侵入経路中に配置されたラビリンスパッキンの第１の実施の形態を説明する図１１及び図１９のＦ−Ｆ矢視での断面斜視図及び要部の拡大断面図である。
【図２２】同上のラビリンスパッキンの第２の実施の形態を説明する図１１及び図１９のＦ−Ｆ矢視での断面斜視図及び要部の拡大断面図である。
【図２３】従来のディスクカートリッジではシャッターがインナーローター内へ容易に押し込まれ易いことを説明する要部の斜視図である。
【図２４】従来のディスクカートリッジではインナーローター内で光ディスクが容易に傾き易いことやインナーローター内へ容易に押し込まれ易いことを説明する図１９のＧ−Ｇ矢視での拡大断面図である。
【符号の説明】
１はディスクカートリッジ、２は上シェル、３は下シェル、４はディスク状記録媒体である光ディスク、４ａは光ディスクの記録面、４ｃは光ディスクの中央部、１２はインナーローター、１２ａはインナーローターの底部、１３、１４はシャッター、１７は底部開口部、１７ａは底部開口部の中央開口部、１７ｂ、１７ｃは底部開口部の両側開口部、１８は内部開口部、１８ａは内部開口部の中央開口部、１８ｂ、１８ｃは内部開口部の両側開口部、５１は第１のディスク載置部、５２は第２のディスク載置部、５３は切欠きである。
【図１】
2004206792.tif 000003
【図２】
2004206792.tif 000004
【図３】
2004206792.tif 000005
【図４】
2004206792.tif 000006
【図５】
2004206792.tif 000007
【図６】
2004206792.tif 000008
【図７】
2004206792.tif 000009
【図８】
2004206792.tif 000010
【図９】
2004206792.tif 000011
【図１０】
2004206792.tif 000012
【図１１】
2004206792.tif 000013
【図１２】
2004206792.tif 000014
【図１３】
2004206792.tif 000015
【図１４】
2004206792.tif 000016
【図１５】
2004206792.tif 000017
【図１６】
2004206792.tif 000018
【図１７】
2004206792.tif 000019
【図１８】
2004206792.tif 000020
【図１９】
2004206792.tif 000021
【図２０】
2004206792.tif 000022
【図２１】
2004206792.tif 000023
【図２２】
2004206792.tif 000024
【図２３】
2004206792.tif 000025
【図２４】
2004206792.tif 000026